(57)【要約】【課題】  情報機器の機能や性能を向上させる目的で用いられる拡張用ボードを情報機器の本体ハウジングに対して取り付けるにあたり、部品点数及び組立工数の削減を図る。【解決手段】  拡張用ボードの固定用金具を本体ハウジングに対して固定するには、取付部材５の係止爪１０を本体ハウジングに嵌め込まれた状態の拡張用ボードの固定用金具の固定孔及び係止部に形成された孔に嵌め込むことにより、拡張用ボードの固定用金具の固定孔と係止部との位置決めを行うことができる。次いで、取付部材５と係止部とを係止部材により係止することにより、情報機器の本体ハウジングに拡張用ボードを固定することができる。これにより、拡張用ボードの固定用金具毎にネジを用いなくても拡張用ボードの固定用金具と本体ハウジングとを確実に接触させた状態で固定用金具を本体ハウジングに固定することができる。【選択図】    図５
2006092458.tif 000002
【特許請求の範囲】
【請求項１】
情報機器の機能や性能を向上させる目的で用いられる拡張用ボードを前記情報機器の本体ハウジングに対して取り付ける拡張用ボードの取付構造において、
前記本体ハウジングに設けられていて、前記拡張用ボードの端部に取り付けられている固定用金具の挿脱を受け付ける切欠きと、
前記固定用金具に設けられている当該ボードの固定のための固定孔に対応して設けられて当該固定孔に対して挿脱自在な係止爪と前記固定用金具が前記切欠きに挿入されている状態で前記切欠きに形成される開口部分を閉塞する閉塞部とを有する取付部材と、
前記固定用金具が前記切欠きに挿入されている状態では前記固定孔に対応する位置に設けられていて前記取付部材の前記係止爪の挿脱を許容する孔を有し、前記本体ハウジングの前記切欠きを跨いで形成されている係止部と、
前記取付部材と前記係止部とを着脱自在に係止する係止部材と、
を備えることを特徴とする拡張用ボードの取付構造。
【請求項２】
前記取付部材は、前記固定用金具が前記切欠きに挿入されている状態での前記係止部を収納する収納部を有している、
ことを特徴とする請求項１記載の拡張用ボードの取付構造。
【発明の詳細な説明】
【技術分野】
【０００１】
本発明は、情報機器の機能や性能を向上させる目的で用いられる拡張用ボードの取付構造に関する。
【背景技術】
【０００２】
パーソナルコンピュータ等の情報機器においては、標準的に組み込まれているシステム構成以外に機能や性能を向上させる目的で、必要に応じて機能拡張要素を選択的に装着することができるようにしたものがある。例えば、選択的に装着することができる機能拡張要素としては、ネットワーク・アダプタなどの拡張用ボードが知られている。このような拡張用ボードの一種に、ＰＣＩ（Peripheral Component Interconnect）バスに対応したＰＣＩボードがある（例えば、特許文献１参照）。
【０００３】
このようなＰＣＩボードは、マザーボード等に設けられた拡張スロットに装着されることにより、各種の機能（例えば、グラフィック機能、サウンド機能、ネットワーク機能、その他のインタフェース機能等）を追加する。拡張スロットは、ＰＣＩボードを取り付けるための挿し込み口で、バスに直結している。
【０００４】
ここで、図６はＰＣＩボード１００を概略的に示す斜視図、図７は本体ハウジング２００の取付部２０１近傍を示す斜視図、図８は本体ハウジング２００に取り付けられたＰＣＩボード１００を示す斜視図である。図６に示すように、ＰＣＩボード１００は、その端部に取り付けられている金属製の固定用金具であるリアパネル１０１により、本体ハウジング２００に固定される。なお、１０２はＰＣＩボード１００に設けられた外部コネクタ、１０３は拡張スロットへの挿入部である。このようなＰＣＩボード１００は、図７に示す本体ハウジング２００に形成されている取付部２０１に取り付けられる。取付部２０１は、ＰＣＩボード１００のリアパネル１０１を挿入するための切欠２０２とＰＣＩボード１００のリアパネル１０１を固定するためのネジ孔２０３とで構成されている。図７に示す取付部２０１は、２つのＰＣＩボード１００を取り付け可能な構成になっている。このようなリアパネル１０１を本体ハウジング２００に固定するには、図８に示すように、ＰＣＩボード１００のリアパネル１０１を取付部２０１の切欠き２０２に嵌め込んだ後、リアパネル１０１に形成されている屈曲部分１０１ａの固定孔１０１ｂと取付部２０１のネジ孔２０３とをネジ３００で締め付けるようにしている。
【０００５】
なお、図８に示すように、ＰＣＩボード１００のリアパネル１０１は、本体ハウジング２００に固定するのに用いられるほか、ＰＣＩボード１００に設けられた外部コネクタ１０２と本体ハウジング２００との隙間を塞ぐ役割も担っている。
【０００６】
ところで、図８に示すように、ＰＣＩボード１００のリアパネル１０１を本体ハウジング２００の切欠き２０２に嵌め込んだ状態では、外観に開口部分ｘが残る。このような開口部分ｘが開口した状態のままでは、開口部分ｘから塵や埃等が侵入してしまい、ＰＣＩボード１００上の電子部品に悪影響を及ぼす恐れがある。
【０００７】
そこで、従来においては、図９に示すようなカバー部材３０１を構成する閉塞面３０１ａを用いて開口部分ｘを隠すようにしている。このようなカバー部材３０１を本体ハウジング２００に固定するには、図１０に示すように、ネジ３０３でカバー部材３０１に形成されているネジ孔３０２と取付部２０１のネジ孔２０４（図７参照）とを締め付けるようにしている。なお、カバー部材３０１には、ＰＣＩボード１００のリアパネル１０１と本体ハウジング２００の取付部２０１とのネジ３００による固定部分を収納する収納部３０１ｂも形成されている。このカバー部材３０１の収納部３０１ｂによりＰＣＩボード１００のリアパネル１０１と本体ハウジング２００の取付部２０１とのネジ３００による固定部分を収納することで、美観に優れた外観を得ることができるとともに、安全性を確保することができる。
【０００８】
【特許文献１】特開２００３−１７３２１６公報
【発明の開示】
【発明が解決しようとする課題】
【０００９】
しかしながら、図６ないし図１０に示したような情報機器のＰＣＩボード取付構造によれば、ＰＣＩボード１００のリアパネル１０１と本体ハウジング２００の取付部２０１とをネジ３００により固定しているため、ＰＣＩボード１００が１枚の場合にはネジ３００が１個、ＰＣＩボード１００が２枚の場合にはネジ３００が２個というように、ＰＣＩボード１００の数量分の取付け用のネジ３００が必要である。
【００１０】
すなわち、従来のＰＣＩボード取付構造によれば、部品点数が増える、取付け用のネジ３００を付属品として付属しなければならない等の問題がある。
【００１１】
なお、取付け用のネジ３００を用いずに、ＰＣＩボード１００のリアパネル１０１を取付部２０１の切欠２０２に嵌め込むだけで保持するようにすることも考えられるが、この場合には、ＰＣＩボード１００のリアパネル１０１と本体ハウジング２００との接触が不十分になりやすく、帯電した静電気を本体ハウジング２００側に落とすことができない等の不具合が発生する恐れがある。
【００１２】
本発明は、情報機器の機能や性能を向上させる目的で用いられる拡張用ボードを情報機器の本体ハウジングに対して取り付けるにあたり、部品点数及び組立工数の削減を図ることを目的とする。
【課題を解決するための手段】
【００１３】
本発明は、情報機器の機能や性能を向上させる目的で用いられる拡張用ボードを前記情報機器の本体ハウジングに対して取り付ける拡張用ボードの取付構造において、前記本体ハウジングに設けられていて、前記拡張用ボードの端部に取り付けられている固定用金具の挿脱を受け付ける切欠きと、前記固定用金具に設けられている当該ボードの固定のための固定孔に対応して設けられて当該固定孔に対して挿脱自在な係止爪と前記固定用金具が前記切欠きに挿入されている状態で前記切欠きに形成される開口部分を閉塞する閉塞部とを有する取付部材と、前記固定用金具が前記切欠きに挿入されている状態では前記固定孔に対応する位置に設けられていて前記取付部材の前記係止爪の挿脱を許容する孔を有し、前記本体ハウジングの前記切欠きを跨いで形成されている係止部と、前記取付部材と前記係止部とを着脱自在に係止する係止部材と、を備える。
【発明の効果】
【００１４】
本発明によれば、拡張用ボードの固定用金具毎にネジを用いなくても拡張用ボードの固定用金具と本体ハウジングとを確実に接触させた状態で固定用金具を本体ハウジングに固定することができるので、部品点数及び組立工数の削減を図ることができる。
【発明を実施するための最良の形態】
【００１５】
本発明の実施の一形態を図１ないし図５に基づいて説明する。本実施の形態は、情報機器としてパーソナルコンピュータを適用した例である。
【００１６】
ここで、図１はパーソナルコンピュータ１の背面を示す斜視図である。図１に示すように、パーソナルコンピュータ１の本体ハウジング２の背面には、拡張用ボードの一種であるＰＣＩ（Peripheral Component Interconnect）ボード３の取り付けに用いるボード取付部４が設けられている。ＰＣＩボード３は、ボード取付部４において取付部材５を用いて本体ハウジング２に固定される。１３は、取付部材５をボード取付部４に固定するネジである。
【００１７】
ここで、図２はＰＣＩボード３を概略的に示す斜視図である。図２に示すように、ＰＣＩボード３は、その端部に取り付けられている金属製の固定用金具であるリアパネル６により、本体ハウジング２に固定される。なお、７はＰＣＩボード３に設けられた外部コネクタ、８は本体ハウジング２内のマザーボード等に設けられた拡張スロット（図示せず）への挿入部である。ＰＣＩボード３のリアパネル６には、Ｌ字形状に屈曲形成された取付部６ａが設けられている。この取付部６ａには、ＰＣＩボード３の固定のための固定孔６ｂが形成されている。
【００１８】
次に、上述したようなＰＣＩボード３の本体ハウジング２に対する取付構造について詳述する。
【００１９】
図３は本体ハウジング２のボード取付部４の近傍を示す斜視図、図４は本体ハウジング２に取り付けられたＰＣＩボード３を示す斜視図である。図３に示すように、本体ハウジング２のボード取付部４には、ＰＣＩボード３のリアパネル６を嵌め込むための切欠き４ａと、この切欠き４ａを跨いで形成されている係止部４ｂとが設けられている。係止部４ｂには、ネジ孔９も形成されている。さらに、係止部４ｂには、取付部材５の係止爪１０（図５参照）が嵌め込まれるスリット状の孔１２が形成されている。そして、図４に示すように、ＰＣＩボード３のリアパネル６が、ボード取付部４の切欠き４ａに嵌め込まれる。なお、図４に示すように、ＰＣＩボード３のリアパネル６を本体ハウジング２の切欠き４ａに嵌め込んだ状態では、外観に開口部分Ｘが残る。これは、ＰＣＩボード３のリアパネル６を嵌め込む場合、リアパネル６の取付部６ａとは逆側の端部が本体ハウジング２内に位置づけられるため、本体ハウジング２内に位置づけられるリアパネル６の取付部６ａとは逆側の端部の分だけ切欠き４ａが余ってしまうからである。このような開口部分Ｘが開口した状態のままでは、開口部分Ｘから塵や埃等が侵入してしまい、ＰＣＩボード３上の電子部品に悪影響を及ぼす恐れがある。そこで、本実施の形態においては、詳細は後述するが、取付部材５を用いて開口部分Ｘを隠すようにしている。
【００２０】
図５は、取付部材５を示す外観斜視図である。図５に示すように、取付部材５は、概略的には、ＰＣＩボード３のリアパネル６の固定孔６ｂとボード取付部４の係止部４ｂとの位置決めを行う係止爪１０が形成されている爪部５ａと、ＰＣＩボード３のリアパネル６を本体ハウジング２に嵌め込んだ状態で形成される開口部分Ｘを隠すための面である閉塞部５ｂとで構成される。爪部５ａには、ネジ孔１１も形成されている。加えて、取付部材５の爪部５ａには、ＰＣＩボード３のリアパネル６に形成された取付部６ａとボード取付部４の係止部４ｂとを収納する箱形状の収納部５ｃも形成されている。この取付部材５の収納部５ｃによりＰＣＩボード３のリアパネル６に形成された取付部６ａとボード取付部４の係止部４ｂとを収納することで、美観に優れた外観を得ることができるとともに、安全性を確保することができる。
【００２１】
このような取付部材５により本体ハウジング２にＰＣＩボード３のリアパネル６を固定するには、取付部材５の収納部５ｃによりＰＣＩボード３のリアパネル６に形成された取付部６ａとボード取付部４の係止部４ｂとを収納するとともに、爪部５ａの係止爪１０を本体ハウジング２に嵌め込まれた状態のＰＣＩボード３のリアパネル６の固定孔６ｂ及びボード取付部４の係止部４ｂに形成された孔１２に嵌め込む。これにより、ＰＣＩボード３のリアパネル６の固定孔６ｂとボード取付部４の係止部４ｂとの位置決めが行われる。次いで、図１に示すように、取付部材５に形成されているネジ孔１１とボード取付部４の係止部４ｂに形成されているネジ孔９とをネジ１３で締め付ける。すなわち、取付部材５に形成されているネジ孔１１とボード取付部４の係止部４ｂに形成されているネジ孔９とネジ１３とにより、係止部材が構成されている。これにより、開口部分Ｘを隠すことができるとともに、本体ハウジング２にＰＣＩボード３を固定することができる。
【００２２】
このように本実施の形態によれば、パーソナルコンピュータ１の機能や性能を向上させる目的で用いられるＰＣＩボード３のリアパネル６を本体ハウジング２に対して固定するには、取付部材５の係止爪１０を本体ハウジング２に嵌め込まれた状態のＰＣＩボード３のリアパネル６の固定孔６ｂ及び係止部４ｂに形成された孔１２に嵌め込むことにより、ＰＣＩボード３のリアパネル６の固定孔６ｂと係止部４ｂとの位置決めを行うことができる。次いで、取付部材５と係止部４ｂとを係止部材９，１１，１３により係止することにより、パーソナルコンピュータ１の本体ハウジング２にＰＣＩボード３を固定することができる。これにより、ＰＣＩボード３のリアパネル６毎にネジを用いなくてもＰＣＩボード３のリアパネル６と本体ハウジング２とを確実に接触させた状態でリアパネル６を本体ハウジング２に固定することができるので、部品点数及び組立工数の削減を図ることができる。
【００２３】
なお、本実施の形態においては、拡張用ボードとしてＰＣＩボードを適用したが、同様の構成の固定用金具を有しているものであれば、ＰＣＩボードに限るものではない。
【００２４】
また、本実施の形態においては、情報機器としてパーソナルコンピュータを適用した例を示したが、これに限るものではなく、機能や性能を向上させる目的で用いられる拡張用ボードを用いているものであれば良い。例えば、情報機器としてＰＯＳ（Point of Sales）端末等を適用しても良い。
【図面の簡単な説明】
【００２５】
【図１】本発明の実施の一形態のパーソナルコンピュータの背面を示す斜視図である。
【図２】ＰＣＩボードを概略的に示す斜視図である。
【図３】本体ハウジングのボード取付部の近傍を示す斜視図である。
【図４】本体ハウジングに取り付けられたＰＣＩボードを示す斜視図である。
【図５】取付部材を示す外観斜視図である。
【図６】従来技術を説明するためのＰＣＩボードを概略的に示す斜視図である。
【図７】本体ハウジングの取付部近傍を示す斜視図である。
【図８】本体ハウジングに取り付けられたＰＣＩボードを示す斜視図である。
【図９】カバー部材を示す外観斜視図である。
【図１０】カバー部材を本体ハウジングに固定した状態を示す斜視図である。
【符号の説明】
【００２６】
１…情報機器、２…本体ハウジング、３…拡張用ボード、４ａ…切欠き、４ｂ…係止部、５…取付部材、５ｂ…閉塞部、５ｃ…収納部、６…固定用金具、６ｂ…固定孔、９，１１，１３…係止部材、１０…係止爪、１２…孔、Ｘ…開口部分
【図１】
2006092458.tif 000003
【図２】
2006092458.tif 000004
【図３】
2006092458.tif 000005
【図４】
2006092458.tif 000006
【図５】
2006092458.tif 000007
【図６】
2006092458.tif 000008
【図７】
2006092458.tif 000009
【図８】
2006092458.tif 000010
【図９】
2006092458.tif 000011
【図１０】
2006092458.tif 000012